(57)【特許請求の範囲】
【請求項１】
一対のフレームと、該各フレームに支承されてステージ面を画成する一対のステージデッキと、該各ステージデッキの折畳中心軸と近い部分に対の関係をもって設けられる４本の内側支持脚と、各ステージデッキの折畳中心軸から離れた部分に対の関係をもって設けられる４本の外側支持脚と、キャスタを有するキャスタ枠と、各ステージデッキを水平な展開使用位置から各ステージデッキが対面してステージ面に対して垂直となる折畳不使用位置へ折畳中心軸に沿って折り畳むリンク機構とを備え、上記各内側支持脚は、各ステージデッキの下面に対して平行に横たわる収納位置に折り畳め、上記各外側支持脚は、リンク機構によって、各ステージデッキの下面に対して平行に横たわる収納位置方向に折り畳め、上記キャスタ枠は、その折曲部分に内側支持脚の案内ブラケットを接触させて、ステージデッキの展開作業中に、内側支持脚の移動を案内し、上記リンク機構は、膨出した中央部と上方に延びる端部とを有する第一リンク部材を備え、折畳不使用位置で、ステージデッキの内端部が上記中央部と端部との間に垂直となるように折り畳めることを特徴とする移動式の折畳ステージ。
【請求項２】
リンク機構が、フレームと第一リンク部材の膨出した中央部に枢着されるＵ字状の第二リンク部材と、フレームと第一リンク部材の端部に枢着される第三リンク部材と、第一リンク部材の端部と外側支持脚に枢着される第四リンク部材とを備えている請求項１記載の移動式の折畳ステージ。
【請求項３】
内側支持脚が、水平な底部分と、該底部分から０度以上９０度未満の角度で上方に延びる折れ曲がり部を有する床係合部分とを備えている請求項１乃至請求項２のいずれかに記載の移動式の折畳ステージ。
【請求項４】
折れ曲がり部に更に上方に延びる端部を設けた請求項３記載の移動式の折畳ステージ。
【請求項５】
折れ曲がり部が、折畳中心軸に向かって内方に延びている請求項３乃至請求項４のいずれかに記載の移動式の折畳ステージ。
【請求項６】
内側支持脚と外側支持脚とが、上下３段階に高さを調節できるようにした請求項１乃至請求項５のいずれかに記載の移動式の折畳ステージ。
【請求項７】
内側支持脚が、展開使用位置で、キャスタ枠の上面に当接する支持部材を有している請求項１乃至請求項６のいずれかに記載の移動式の折畳ステージ。
【請求項８】
フレームに持ち上げバネを設けて、ステージデッキがフレームから外れると、上記持ち上げバネがステージデッキの隅を持ち上げるようにした請求項１乃至請求項７のいずれかに記載の移動式の折畳ステージ。
【請求項９】
ステージデッキをフレームに取り付けるボルトを有し、持ち上げバネが内側支持脚又は外側支持脚の上方に存する取付ブラケットに設けられている請求項８記載の移動式の折畳ステージ。
【請求項１０】
内側支持脚と外側支持脚とが、外脚部材と該外脚部材から調節可能に伸縮する入れ子式の内脚部材とからなる請求項１乃至請求項９のいずれかに記載の移動式の折畳ステージ。
【請求項１１】
各支持脚の外脚部材と内脚部材とが断面矩形状を呈し、外脚部材と内脚部材間に矩形状のスペーサを設けている請求項１０記載の移動式の折畳ステージ。
【請求項１２】
一対のステージデッキと、該各ステージデッキの折畳中心軸と近い部分に対の関係をもって設けられる４本の内側支持脚と、各ステージデッキの折畳中心軸から離れた部分に対の関係をもって設けられる４本の外側支持脚と、折畳リンク機構とから成り、該折畳リンク機構は、膨出端部と膨出中央部を有する第一リンク部材と、一端で第一リンク部材の膨出中央部に他端でステージデッキに枢着されるＵ字状の第二リンク部材と、一端で第一リンク部材の膨出端部に他端でステージデッキに枢着される第三リンク部材と、一端で第一リンク部材の膨出端部に他端で外側支持脚に枢着される第四リンク部材とを備え、外側支持脚をステージデッキに対して直角となる伸長位置からステージデッキに対して平行となる収納位置へと折り畳めるように構成したことを特徴とする移動式の折畳ステージ。
【請求項１３】
折畳中心軸に沿って折り畳まれる一対のステージデッキと、該各ステージデッキの折り畳みを容易となす折畳リンク機構と、折曲部分を有するキャスタ枠と、各ステージデッキの折畳中心軸と近い部分に対の関係をもって設けられる４本の内側支持脚と、各ステージデッキの折畳中心軸から離れた部分に対の関係をもって設けられる４本の外側支持脚とから成り、該内外側の支持脚は、ステージデッキに対して直角となる伸長位置からステージデッキに対して平行となる収納位置へ折り畳まれ、内側支持脚は案内ブラケットを有し、ステージが展開されても内側支持脚が外方へ伸長しきっていない時に、当該案内ブラケットがキャスタ枠の折曲部分に接触して、内側支持脚を伸長位置へ自動的に案内するように構成したことを特徴とする移動式の折畳ステージ。
【請求項１４】
内側支持脚の側面から突出する支持部材を有し、該支持部材は、キャスタ枠の上面に当接して内側支持脚を補足支持するように構成した請求項１３記載の移動式の折畳ステージ。
【請求項１５】
内側支持脚が、水平な底部分と、該底部分から０度以上９０度未満の角度で上方に延びる折れ曲がり部を有する床係合部分とを備えている請求項１４記載の移動式の折畳ステージ。
【発明の詳細な説明】
【０００１】
【発明の属する技術分野】
本発明は、折畳不使用位置と展開使用位置とに変形できる高さ調節可能な移動式の折畳ステージに関するものである。
【０００２】
【従来の技術】
この種折畳ステージは種々の用途に供されるもので、例えば、学校・ホテル・集会所やその他の施設に対して一時的な壇を提供する。
上記の各施設において、複数の使用場所があるようなところでは、一時的に、ステージを構築できることが強く求められる。このようなステージは、通常、互いに隣接して設置される複数のステージ構造体から構成されて、その各構造体の上面をステージ面となす。そして、不使用時には、個々のステージ構造体をコンパクトな寸法に折り畳んで保管できるようになっている。
【０００３】
最低の高さが１６インチで、６インチ又は８インチの増量調節が可能なステージから、その増量分を考慮した最高の高さが４８インチの範囲に含まれる比較的高さの低い壇を提供するステージにおいては、一般に、一対のステージデッキを中央部で折り畳んで、その上面を互いに向い合わせることにより、略垂直な折畳不使用位置に変形できる。尚、この場合には、折畳リンク機構を用いて、展開使用位置から折畳不使用位置までの折り畳みを容易にできるように構成されていると共に、その各支持脚を内側に折り畳んで、ステージデッキの下面に対して略平行となる状態に収納できるように構成されている。又、折り畳まれたステージは、使用場所間を自由に移動できるように、ローラ乃至キャスタで移動可能に支持されている。
従って、これら今までのステージが、比較的に低いステージ面を提供できる点で非常に有用であることは周知のところであるが、当該分野においては、更なる改良も望まれている。
【０００４】
【発明が解決しようとする課題】
例えば、通常一般の折畳ステージの下では、その支持脚を折り畳んでステージデッキの下面側に近づけた状態で、一対のステージデッキを垂直な不使用位置に折り畳んだり、複雑な支柱で折り畳みを解除したり、支持体を支持脚から保護したりする機構や作業が複雑なため、ステージ自体の高さ調節が２段階しかできなかった。
その上、その支持脚としては、２段階の高さに対応する伸縮不能な短い支持脚のセットと長い支持脚のセットしか使用できず、又、今までのリンク機構の下では、展開使用位置において、ステージデッキが適正に整列するようにデッキを支持できない場合も屡々見受けられた。
更に、水平な展開使用位置に変形している時に、２つのステージデッキの中央ヒンジ部に過剰な荷重がかかると、ステージデッキの外端側が不用意に持ち上がってしまうことも見受けられた。又、ステージデッキが垂直な不使用位置に折り畳まれると、各デッキの上面が互いに接触して、作業者の手や指を挾んでしまう恐れも十分にあった。
【０００５】
この為、一対のステージデッキの上面が互いに対面した状態で、折畳不使用位置から展開使用位置に簡単に変形できる新規改良された折畳ステージの出現が大いに望まれている。これに加えて、ステージデッキの移動を的確にコントロールして、その適正な整列を提供でき、且つ、大きな荷重がかかっても、支持脚に充分な支持体としての役割を果たせ得る新規リンク機構の出現も望まれている。
又、リンク機構は、２段階ではなく、３段階又はそれ以上の高さに調節できる支持脚と対応できることも望まれる。
本発明は、斯る要請に加えて、今までの折畳ステージのその他の問題点をも十分に考慮して開発されたものである。
【０００６】
【課題を解決するための手段】
本発明は、移動式の折畳ステージに関し、特に、詳しくは、高さ調節可能な移動式の折畳ステージに関する。
本発明の折畳ステージは、折畳中心軸に沿って連結されて広いステージ面を画成する一対のステージデッキを有して、展開使用位置から折畳不使用位置へ変形した状態では、上記一対のステージデッキが各自の上面を互いに対面した状態で垂直となる。又、本発明の折畳ステージは、ステージを使用場所へ移動させるローラ乃至キャスタが設けられているキャスタ枠を有する。
【０００７】
ステージには折畳リンク機構が設けられて、一対のステージデッキを水平な展開使用位置と垂直な折曲不使用位置とへ折り畳むことを可能とする。加えて、このリンク機構は、当該リンク機構の作動に伴って伸長位置と収納位置間に折り畳まれる外側支持脚に連結されている。伸長位置にある内側支持脚は追加の支持体となると共に、展開作業と折畳作業に際しては、ステージを回動させる支点として働く。内外側の支持脚は伸縮によって高さ調節が可能で、これにより、ステージの高さを自在に変化させ得る。内側支持脚は、底部分と床係合部分を備える足を有し、この足の作用で、展開作業と折畳作業中に、内側支持脚とステージを支持すると同時にガイドする。
【０００８】
又、内側支持脚は案内ブラケットを有し、キャスタ枠の折曲部分と接触して、内側支持脚が完全な伸長位置に移動できる。ステージデッキを折り畳んだ時には、内外側の支持脚は、共に、ステージデッキの下面に対して平行となる状態に収納できる。
【０００９】
折畳リンク機構は、端部と中央部が膨出した第一リンク部材を備え、Ｕ字状の第二リンク部材が第一リンク部材の膨出中央部からフレームにかけて枢着される一方、第三リンク部材が第一リンク部材の膨出端部からフレームにかけて枢着されている。又、第四リンク部材が第一リンク部材の膨出端部から外側支持脚にかけて枢着されて、ステージデッキの折り畳みと同時に、外側支持脚の折り畳みを促す。
【００１０】
上記Ｕ字状の第二リンク部材は、ステージデッキが折畳不使用位置にある時に、デッキの内端部を受けとめる上側縁に小さい傾斜形状を付与して、各デッキの上面を互いに少し離して向い合わせる。これにより、不測の展開力に対抗できると共に、作業者の手や指がデッキ間に挟まることを防止する。又、一方のデッキの内端側縁に設けられている整列ピンが、他方のデッキの対向する内端側縁に設けられている孔に嵌合して、展開使用位置におけるステージデッキの整列を確実にガイドする。
【００１１】
ステージデッキは、フレームに対して固定することも可能であるが、取り外し可能或いは裏返し可能に支承しても良い。そして、斯る構成の下で、デッキを取り外したり裏返しする時に、持ち上げバネが対応するデッキの下面に弾接して、当該デッキの隅をそのばね圧で少し持ち上げるので、デッキの一隅を簡単に掴めることが可能となって、デッキの取り外しや裏返し作業が頗る容易となる。
【００１２】
【発明の実施の形態】
以下、本発明の好適な実施の形態に係る高さ調節可能な移動式の折畳ステージを詳述する。図１・図２において、本実施の形態に係る移動式の折畳ステージが符号２０として示されている。
当該ステージ２０は、一対のデッキ２４を支承する２個のフレーム２２を有し、図１に示す折畳不使用位置では、各デッキ２４が略垂直な状態となるように移動して、個々のデッキ２４の上面を互いに対面させ、逆に、図２に示す展開使用位置では、一対のデッキ２４が水平に連なる広いステージ面を画成する。
【００１３】
又、ステージ２０の各デッキ２４は、その両側縁下部に回動可能に設けられている各対の内側支持脚３２と外側支持脚３４によって支持されるもので、図１の折畳不使用位置では、上記の各内側支持脚３２と各外側支持脚３４とは、ステージ２０の対応するデッキ２４の下面に対して、略平行に横たわる収納位置まで折り畳めると共に、ステージ２０は、キャスタ枠３８に設けられているローラ乃至キャスタ２６で自由に移動できる。
【００１４】
このキャスタ枠３８は、一対のデッキ２４の中間においてステージ２０の折畳中心軸に沿って延びる長寸な中央部材と、当該中央部材の両端部側から略直角に交差して延びる端部部材とを有し、直角な端部部材の各端部分４０は、ステージ２０の側縁からやや内側に角度をもって折曲して、後述するステージ２０の展開作業中に、内側支持脚３２の伸長位置に対する整列を助ける。
【００１５】
尚、上記した各デッキ２４は、その対応するフレーム２２に強固に固定しても良いが、異なる用途に対応できる種々のステージ面を提供できるように、例えば、裏返し可能又は取り外し可能な状態に置くことも可能である。これに加えて、図１４・図１５に明確に示されているように、デッキ２４のフレーム２２に取付部材９０を設けて、他の同一規格のステージ２０を連結できるようにしたり、或いは、ステージ２０間にデッキ２４のみを支持させて、少ない数のステージ２０で広くて長いステージ面を画成するようにしたり、デッキ２４の縁に沿うフレーム２２の取付片９２からカーテンやその他の装飾体を吊り下げるように構成することも可能である。
【００１６】
更に、図２に示す如く、ステージ２０の展開使用位置においては、取り外し可能な階段３６をステージ２０の縁側に組み付けて、ステージ２０に対して容易に登り降りできるようにしても良いし、又、ガードレールやその他の安全設備を付設しても良い。
【００１７】
外側支持脚３４は、図１・図３及び図１４に示す如く、断面矩形状を呈する入れ子式の内脚部材５６と外脚部材５８とを有し、入れ子式の内脚部材５６には、ハンドルを取り付けたバネ装着ピン６８を係合する高さ調節孔６２が形成され、バネ装着ピン６８が当該調節孔６２に挿入されることにより、外側支持脚３４が所望の高さに維持される。尚、本実施の形態の下では、外側支持脚３４に対して、ステージ２０のデッキ２４を３つの異なる高さに支持できるように、位置の異なる３個の調節孔６２を形成しているが、３個以上を形成することも実施に応じ任意である。
【００１８】
又、斯る外側支持脚３４は、図１４に示す如く、外脚部材５８と内脚部材５６間に設けられる略矩形状のスペーサ６０を有し、内脚部材５６と外脚部材５８との摺動を円滑となすと共に、両者５６・５８の相対的な伸縮時に、不要なガタツキを防止する構成となっている。
【００１９】
更に、外側支持脚３４は、図１・図３に明確に示されている如く、後述する折畳リンク機構３０を連結する支柱６４を有すると共に、各デッキ２４の下面に設けられる一対の外側支持脚３４間には連結部材４２が一体に架設されている。尚、図１４に示す如く、外脚部材５８は、外側支持脚３４自体が伸長位置に移動する時には、フレーム２２を直接支持する取付ブラケット１２６に枢着されて回動する。
【００２０】
他方、内側支持脚３２は、図１４に示す如く、同じく、断面矩形状を呈する入れ子式の内脚部材４４と外脚部材４６とを有し、内脚部材４４には、バネ装着ピン６６を係合する高さ調節孔５０が形成されて、当該バネ装着ピン６６が高さ調節孔５０に挿入されることにより、上記した外側支持脚３４と同様に、内側支持脚３２が所望の高さに維持される。又、やはり、内側支持脚３２にあっても、矩形のスペーサ４８が内脚部材４４と外脚部材４６間に設けらており、両部材４４・４６の摺動を円滑となすと共に、両部材４４・４６の相対的な伸縮時には、不要なガタツキを防止して、内側支持脚３２自体の支持力と安定性を増加させている。又、内側支持脚３２は、フレーム２２に取り付けられた取付ブラケット１２４に枢着されて回動するもので、ステージ２０の使用時には、フレーム２２から直に荷重を受ける。尚、上記内脚部材４４に形成された調節孔５０は、外側支持脚３４側の調節孔６２と個々に対応して形成されていることは言うまでもない。
【００２１】
更に、内側支持脚３２は、特に、折畳作業中及び展開作業中において、デッキ２４を含めたステージ２０全体を支持することとなるので、ステージ２０を補助して支える足７０を有する。
当該足７０は、図示する如く、水平な底部７２と、該底部７２から上方に０度以上９０度未満の角度、好ましくは、約４５度の角度で延びその後更に屈曲して上方に延びる内側折り曲げ部７４と、底部７２から同じく約４５度の角度で屈曲してステージ２０の折畳中心軸から離れる方向に延びる外側折り曲げ部７６とからなる。従って、本実施の形態の下では、斯る足７０の存在によって、足７０と床面との接触面積を大きく維持できると共に、足７０をステージ２０の折畳作業と展開作業中の支点となる滑り材として有効に利用できることとなる。
【００２２】
ステージ２０は、図１０・図１１に最も明確に示されているように、折畳リンク機構３０によって、その一対のデッキ２４を水平な展開使用位置と垂直な折畳不使用位置との間で容易に変形できる構成となっている。
これを説明すると、上記折畳リンク機構３０は、デッキ２４の両側の各端部間に、キャスタ枠３８の中央部材の端部に固定される第一リンク部材たるリンク取付主板１００を備え、当該リンク取付主板１００は、自身の両端に上方へ延びる膨出端部１０２を形成して、当該両膨出端部１０２の中間に膨出中央部１０４を形成している。この為、各膨出端部１０２は、ステージ２０が折畳不使用位置にある時は、図示する如く、膨出中央部１０４と共働して、デッキ２４の内端部を支持する溝を画成する。
【００２３】
又、折畳リンク機構３０は、リンク取付主板１００の膨出中央部１０４に枢軸１２８を介して設けられる略Ｕ字状を呈する一対の第二リンク部材１０８を備え、当該各第二リンク部材１０８は、折り曲げ底部１１４によって連結される第一端部１１０と第二端部１１２を有し、折り曲げ底部１１４の上側縁には、ステージ２０が折り畳まれている時に、デッキ２４の内端縁を受け止めて支持できる形状を積極的に付与している。当該底部１１４の上側縁形状は、折畳中心軸に向かってステージ２０の各デッキ２４が垂直になるように少し傾斜させて、折畳不使用位置にあるステージ２０が不用意にその折畳状態が解除されないように補助できるものとする。尚、第二端部１１２は、フレーム２２の取付ブラッケト１２４側に枢軸を介して枢着される。
【００２４】
これに加えて、短寸法を呈する一対の第三リンク部材１０６の一端が、上記取付ブラッケト１２４側に枢軸１２２を介して枢着され、同他端が上記リンク取付主板１００の各膨出端部１０２の内側に枢軸１１８を介して枢着されている。更に、フレーム２２に沿って移動して、ステージ２０の折畳不使用位置では、デッキ２４の下面に略平行に横たわる長寸法を呈する一対の第四リンク部材１１６の一端が、図１４に示す如く、外側支持脚３４の支柱６４側に延びて枢着され、同第四リンク部材１１６の他端が、リンク取付主板１００の各膨出端部１０２の外側に枢軸１２０を介して枢着されている。
【００２５】
一方のデッキ２４の内端側縁には整列ピン１４０が設けられ、他方のデッキ２４の内端側縁には孔１４２が設けられており、展開作業の過程で、上記整列ピン１４０が対応する孔１４２に嵌合することにより、一対のデッキ２４を案内しながら、折畳中心軸に沿ってデッキ２４を整列させる作用を果たす。
【００２６】
この為、折畳リンク機構３０は、デッキ２４と外側支持脚３４とを、図１の折畳不使用位置から図２の展開使用位置へスムーズに変形させると共に、その後、一対のデッキ２４が向い合わせ状態となる折畳不使用位置へ変形させることを保障する訳であるが、上記した複数のリンク部材の相乗作用で、いずれの位置においても、大きな安定性が提供できるので、例え、展開使用位置にある時に、ステージ２０の中央ヒンジ部に過剰な荷重がかかったとしても、デッキ２４が不用意に折り畳まれて、デッキ２４の外端側が持ち上がってしまうことは決してない。
【００２７】
更に、折畳リンク機構３０の作用を得て、ステージ２０を変形する時には、各デッキ２４の内端側を若干上方へ持ち上げるので、デッキ２４の折畳作業や展開作業に余裕が生じて、デッキ２４同士が互いに干渉し合ったり、リンク機構３０自体を不要に拘束することがない。又、ステージ２０のデッキ２４は、折り畳まれた時には、略垂直状態にロックできるように設計されている関係で、その折畳状態が不用意に解除されることを効果的に防止できると共に、その上縁側では少し離れることとなるので、作業者や使用者の手が対面するデッキ２４の上面間に挾まれて、怪我をすることも決してない。
【００２８】
又、折畳リンク機構３０は、外側支持脚３４がデッキ２４の下面に沿う収納位置から一定量引き出された以降は、当該支持脚３４をステージ２０のフレーム２２を直接支持する伸長位置へ自動的に移動させる。更に、折畳リンク機構３０は、外側支持脚３４に働きかけて、デッキ２４が不使用位置に折り畳まれる時には、当該外側支持脚３４をデッキ２４の下面に対して略平行となるように移動させると共に、第四リンク部材１１６をも、デッキ２４の下面に対して略平行となる状態に移動させる。
【００２９】
次ぎに、図１・図３乃至図７に基づいて、本実施の形態に係るステージ２０の展開作業を説明する。
図１において、ステージ２０が折畳不使用位置に変形している時には、一対のデッキ２４は略垂直状態に互いに向い合っており、内外側の支持脚３２・３４は、対応する各デッキ２４の下面に対して略平行する収納位置に完全に折り畳まれている。尚、斯る下では、ステージ２０自体はキャスタ２６によって支持されているので、所望の場所へ容易に移動できる状態となっていることは言うまでもない。
【００３０】
そこで、斯る状態からステージ２０を展開して使用する場合には、まず、図３に示す如く、上記した連結部材４２等を把持して、外側支持脚３４をデッキ２４の下面から離れるように外方に引き出すこととなるが、この時に、折畳リンク機構３０が切替点を通過、詳しくは、第四リンク部材１１６の支柱６４に対する枢着点が、外側支持脚３４の取付ブラケット１２６に対する枢着点と内側支持脚３２の取付ブラケット１２４に対する枢着点とを結ぶ線を越えると、外側支持脚３４が当該リンク機構３０と一緒に外方へ少しスナップし、第四リンク部材１１６もデッキ２４の下面から少し外方に移動する。尚、内側支持脚３２に関しては、図３に示す如く、外方に大きく引き出して完全な伸長状態にセットする。
【００３１】
そして、後は、デッキ２４の外端側を下降させながら、ステージ２０の展開作業を行なうと、最初に、内側支持脚３２の足７０が床面に接地する。正確には、図４に示す位置では、その内側折り曲げ部７４の屈曲面が床面に対して略水平になり、ステージ２０が足７０の内側折り曲げ部７４に支持された時点で、リンク機構３０の作用を得て、外側支持脚３４が外方へ自動的に少し伸びる。
【００３２】
このまま、更に、展開作業を続けて、デッキ２４の外端側を漸次下降させると、今度は、ステージ２０は、足７０の底部７２と内側折り曲げ部７４の屈曲基点を中心として回動する。この時、キャスタ枠３８とキャスタ２６は上方に持ち上げられ、キャスタ２６は完全に床面から離れて、ステージ２０の全体が内側支持脚３２で支持されることとなる。又、この時には、折畳リンク機構３０が、図５に示す如く、外側支持脚３４を更に少しだけ外方へ自動的に伸長させると同時に、一対のデッキ２４の内端縁同士を近づけて互いに対面するように移動させる。
【００３３】
その後、更に、展開作業を続けると、図６に示す如く、ステージ２０は、内側支持脚３２の足７０の底部７２で実質的に支持される一方、外側支持脚３４は、ステージ２０のデッキ２４に対して略垂直となるように自動的に伸長すると同時に、一対のデッキ２４の内端縁同士が実質的に向き合おうとする。そして、各デッキ２４の内端縁同士が完全に向き合うと、図１１に示す如く、デッキ２４の内端縁に沿って、一方のデッキ２４側の整列ピン１４０が他方のデッキ２４側の孔１４２内に嵌合して、一対のデッキ２４をズレを発生させることなく水平に整列させる。
そして、最終的に、ステージ２０全体が展開使用位置に変形すると、図７に示す如く、その荷重は内外側の各支持脚３２・３４を介して直接支持されて、安定性と支持力が増大する。
【００３４】
又、ステージ２０が水平な展開使用状態に置かれると、図１２に示す如く、内側支持脚３２の側面に突設されている支持部材５４が、キャスタ枠３８の各直角部材の上面に当接することとなるので、これにより、安定性が増し、荷重を内側支持脚３２の方に向ける。従って、斯る支持部材５４のキャスタ枠３８の直角部材に対する当接によっても、デッキ２４の正しい水平な展開整列状態が保障できることとなる。
【００３５】
更に、本実施の形態の下では、内側支持脚３２の内側に対して、キャスタ枠３８の折曲する端部分４０に接触できるＪ字状の案内ブラケット５２を積極的に設けている関係で、ステージ２０が展開しようとしているにも拘らず、内側支持脚３２が収納位置から完全に出きっていないような場合には、当該案内ブラケット５２がキャスタ枠３８の折曲する端部分４０に接触して、内側支持脚３２をステージ２０を支持する完全な伸長位置に向かって自動的に移動させることとなる。即ち、内側支持脚３２を上記端部分４０に沿って案内ブラケット５２で外方に押し出し、デッキ２４に対する垂直な伸長位置に追いやる。このように、案内ブラケット５２とキャスタ枠３８の端部分４０との作用で、内側支持脚３２を案内してその伸長位置に整列させることも可能となる。
【００３６】
逆に、展開状態にあるステージ２０を折り畳む場合には、多少の変更は伴うが、上記した作業過程を逆に行なうこととなる。
即ち、図８に示す如く、ステージ２０の各デッキ２４を互いに向き合うようにその外端側を持ち上げると、ステージ２０は足７０に支持されて、足７０の内側折り曲げ部７４に実質的に支持されこととなるが、一方のデッキ２４の内端側が、他方のデッキ２４より早く下降して、少なくとも、一方のデッキ２４側のキャスタ２６が床面に接地する。
【００３７】
そして、図９に示す如く、一方のデッキ２４が上方に持ち上げられて略垂直な折畳位置にくると、今度は、他方のデッキ２４が上方に折り畳まれて、両方のデッキ２４が図３に示す状態となる。尚、斯る状態にあっては、外側支持脚３４も、リンク機構３０の作用で、第四リンク部材１１６を伴って収納位置方向へ自動的に移動する。
そこで、後は、連結部材４２等を把持して、前記とは逆に、第四リンク部材１１６の支柱６４に対する枢着点が、外側支持脚３４の取付ブラケット１２６に対する枢着点と内側支持脚３２の取付ブラケット１２４に対する枢着点とを結ぶ線の内側に押しやると、少なくとも、外側支持脚３４が図１に示される元の収納位置に再セットされて、一対のデッキ２４がその折畳不使用位置に確実にロックされる。尚、内側支持脚３２に関しては、あくまでも、手動で、その収納位置へ折り畳むこととなる。
【００３８】
最後に、図１５・図１６に基づいて、デッキ２４をフレーム２２に支承する支承システムを説明する。
デッキ２４の各隅には下面に向かって貫通する小孔が穿設されており、この小孔は、図１４に最も明らかに示されているように、螺子式ナット８２の下方に隠れている。この螺子式ナット８２は、デッキ２４の小孔内に差し込まれるボルト８６と螺合する。しかし、フレーム２２の一隅には、持ち上げバネ８０が取付ブラケット１２４を介して立設されているので、デッキ２４を取り外す際には、当該バネ８０がデッキ２４を上方に持ち上げる手助けとなる。
【００３９】
即ち、図１６に示す如く、バネ８０側に位置するボルト８６を緩めると、バネ８０は自身のばね圧でデッキ２４の一隅を上方に持ち上げるので、当該持ち上げ部分を指で掴んで、デッキ２４の残りの各隅を容易に持ち上げることが可能となる。このように、本実施の形態の下では、デッキ２４をフレーム２２から非常に容易に取り外すことが可能となるので、デッキ２４を持ち上げようとして、指を挾んでしまうような心配も殆どない。尚、このバネ８０は、フレーム２２の各隅に設けることも可能である。
【００４０】
【発明の効果】
以上の如く、本発明は、上記構成の採用により、ステージの折畳作業や展開作業が頗る容易となるので、その作業には一人でも十分に従事することが可能となると共に、新規リンク機構の下で、ステージデッキの移動を的確にコントロールして、その適正な整列状態を提供でき、且つ、大きな荷重がかかっても、支持脚に充分な支持体としての役割を果たせ得るので、ステージデッキの外端側が不用意に持ち上がったり、ステージデッキ同士がズレたりする心配も全くない。
又、ステージの高さは、少なくとも、上下３段階に調節できるので、使用上の融通性も大いに向上する。
【図面の簡単な説明】
【図１】本発明の実施の形態に係る移動式の折畳ステージを折畳不使用位置に変形した状態を示す斜視図である。
【図２】ステージを展開使用位置に変形した状態を階段と一緒に示す斜視図である。
【図３】ステージの最初の展開作業状態を示す斜視図である。
【図４】ステージの展開作業過程において、内側支持脚側が床面に接地した状態を示す斜視図である。
【図５】ステージの展開作業過程において、展開されながら、ステージデッキが内側支持脚を介して回動する状態を示す斜視図である。
【図６】ステージの展開作業過程において、展開使用位置に至る直前の状態を示す斜視図である。
【図７】ステージデッキが完全な展開使用位置に変形された状態を示す斜視図である。
【図８】展開状態にあるステージを折り畳む最初の作業状態を示す斜視図である。
【図９】ステージの折畳作業過程において、キャスタが床面に接地した状態を示す斜視図である。
【図１０】折畳不使用位置における折畳リンク機構の作動状態を示す要部側面図である。
【図１１】展開使用位置における折畳リンク機構の作動状態を示す要部側面図である。
【図１２】内側支持脚と支持部材とキャスタ枠等の関係を示す要部斜視図である。
【図１３】内側支持脚と案内ブラケットとキャスタ枠等の関係を示す要部斜視図である。
【図１４】内外側の支持脚の構造を示す要部側面図である。
【図１５】ステージデッキの持ち上げバネ等を示す要部斜視図である。
【図１６】バネによってデッキの一隅が持ち上げられた状態を示す斜視図である。
【符号の説明】
２０   ステージ
２２   フレーム
２４   デッキ
２６   キャスタ
３０   折畳リンク機構
３２   内側支持脚
３４   外側支持脚
３８   キャスタ枠
４０   キャスタ枠の折曲した端部分
４４   内側支持脚の内脚部材
４６   内側支持脚の外脚部材
４８   スペーサ
５０   内側支持脚の調節孔
５２   案内ブラケット
５４   支持部材
５６   外側支持脚の内脚部材
５８   外側支持脚の外脚部材
６０   スペーサ
６２   外側支持脚の調節孔
６６   バネ装着ピン
６８   バネ装着ピン
７０   足
７２   水平な底部
７４   内側折れ曲げ部
７６   外側折れ曲げ部
８０   持ち上げバネ
８２   ナット
８６   ボルト
１００  リンク取付主板（第一リンク部材）
１０２  膨出端部
１０４  膨出中央部
１０６  第三リンク部材
１０８  第二リンク部材
１１６  第四リンク部材
１２４  取付ブラケット
１２６  取付ブラケット
１４０  整列ピン
１４２  孔
【図１】
0003776154.tif 000002
【図２】
0003776154.tif 000003
【図３】
0003776154.tif 000004
【図４】
0003776154.tif 000005
【図５】
0003776154.tif 000006
【図６】
0003776154.tif 000007
【図７】
0003776154.tif 000008
【図８】
0003776154.tif 000009
【図９】
0003776154.tif 000010
【図１０】
0003776154.tif 000011
【図１１】
0003776154.tif 000012
【図１２】
0003776154.tif 000013
【図１３】
0003776154.tif 000014
【図１４】
0003776154.tif 000015
【図１５】
0003776154.tif 000016
【図１６】
0003776154.tif 000017